(57)【要約】【課題】給水タンクの給水作業やメンテナンスを容易に行うことができる加湿機を提供すること。【解決手段】送風機１６０と、加湿フィルタ２３０と、加湿フィルタ２３０に給水する加湿トレー２２０と、加湿トレー２２０に給水する給水タンク２１０とを含み、給水タンク２１０は給水口２１２を備えたタンク本体２１１と、給水口２１２に着脱自在な蓋２１５と、給水口２１２から取り外した蓋２１５をタンク本体２１１の底部２１３に結合させる結合機構２１９とを備え、タンク本体２１１の底部２１３に蓋２１５を結合させた状態で、蓋２１５を架台として給水口２１２を上方に開口した状態で給水タンク２１０を自立させることが可能な構成とすることにより、給水タンク２１０の充填作業やメンテナンスを容易に行うことが可能な使い勝手の良い加湿機を提供することができる。【選択図】図８
2013068352.tif 000002
【特許請求の範囲】
【請求項１】
本体の外面に開口された吸気口と吹出口とを連通する風路と、
前記風路の途中に配置され空気を送風する送風機と、
前記送風機で送風された空気を加湿する加湿フィルタと、
前記加湿フィルタに給水する加湿トレーと、
前記加湿トレーに給水する水を貯水する給水タンクと、を含み、
前記給水タンクは、給水口を備えたタンク本体と、前記給水口に着脱自在な蓋と、前記給水口から取り外した前記蓋を前記タンク本体の底部に結合させる結合機構と、を備え、
前記タンク本体の底部に前記蓋を結合させた状態で、前記蓋を架台として前記給水口を上方に開口した状態で前記給水タンクを自立させることが可能な、
加湿機。
【請求項２】
前記結合機構は、前記タンク本体の前記底部の外面に形成された略円柱状の結合部と、前記蓋の内面に形成された略円筒状の結合受部と、で構成された、
請求項１に記載の加湿機。
【請求項３】
前記給水タンクは、前記本体の立面に設けられた開口部より着脱可能な構成とし、
前記給水タンクは、前記開口部を閉塞する閉塞部材を一体に備え、
前記給水タンクを前記本体に装着した状態で、前記閉塞部材は前記開口部の略全面を閉塞する構成の、
請求項１または２に記載の加湿機。
【請求項４】
請求項１〜３のいずれか１項に記載の加湿機と、
前記風路の前記送風機と前記加湿フィルタとの間に空気を加熱するヒータと、を備え、
前記吹出口より加湿された温風を吹き出すことを特徴とする、
加湿温風機。
【請求項５】
前記風路は前記ヒータの下流側で、前記加湿フィルタに連通する加湿風路と、前記加湿フィルタを通過させずに前記吹出口に直接連通する温風風路とに分岐し、
前記風路の分岐点に、前記加湿風路および前記温風風路のいずれか一方または両方に温風を選択的に送風するダンパと、
前記ダンパの操作を行う操作手段を備え、
前記、ダンパの操作により、温風と加湿温風の吹き出しが選択可能な、
請求項４に記載の加湿温風機。
【発明の詳細な説明】
【技術分野】
【０００１】
本発明は、吸水した加湿フィルタに空気を送給して気化させる気化式の加湿機に関するものである。
【背景技術】
【０００２】
従来、この種の加湿機は、本体１の側面部２の下部より挿入および取り出し可能な貯水トレー３と、本体１の側面部２に着脱可能な給水タンク４を備え、給水タンク４はタンク本体４ａとタンク本体４ａの下部に突出して設けられた注水口４ｂに螺合されるキャップ４ｃとタンク本体４ａの上部に固定されたカバー４ｄで構成されている。
【０００３】
貯水トレー３は本体１に装着された場合、給水部３ａが本体１の側面より突出した状態で配置される。給水タンク４はタンク本体４ａの下部に突出して配置されたキャップ４ｃを貯水トレー３の給水部３ａに挿入し、タンク本体４ａの下部を支点として回動させながらタンク本体４ａの上部に固定されたカバー４ｄを本体１に押し付けることにより本体１の側面部２に固定される構成となっている（例えば、特許文献１参照）。
【０００４】
図１３は特許文献１に記載された従来の加湿機の給水タンクを取り外した状態の斜視図を示すものである。
【０００５】
図１３に示すように、加湿機の本体１の下部には貯水トレー３が装着されており、貯水トレー３の給水部３ａは本体１の側面部２より突出している。
【０００６】
給水タンク４はタンク本体４ａの下部に一体に設けられた注水口４ｂにキャップ４ｃが螺合されており、タンク本体４ａの上部にはカバー４ｄが固定された構成となっている。
【先行技術文献】
【特許文献】
【０００７】
【特許文献１】特開２００８−３９３２６号公報
【発明の概要】
【発明が解決しようとする課題】
【０００８】
しかしながら、前記従来の構成では、給水タンクをタンク本体の下部を支点として回動させながらタンク本体の側面に装着させる構成とするためには、カバーの外側部より内側部を低くすることが必須となり、給水タンク上面に水平面を構成することができず、給水タンクを本体から取り外した状態では横に倒して置くことしかできないものである。
【０００９】
そのため、給水タンクへの水の充填作業やメンテナンスを行う場合は、給水タンクを常に手で保持しながら作業を行う必要があり、作業性の面で改善の余地があった。
【００１０】
本発明は、前記従来の課題を解決するもので、給水タンクを本体から取り外した状態で倒立させることを可能な構成とすることにより使い勝手が良い加湿機を提供することを目的とするものである。
【課題を解決するための手段】
【００１１】
前記従来の課題を解決するために、本発明の加湿器は、本体の外面に開口された吸気口と吹出口とを連通する風路と、風路の途中に配置され空気を送風する送風機と、送風機で送風された空気を加湿する加湿フィルタと、加湿フィルタに給水する加湿トレーと、加湿
トレーに給水する水を貯水する給水タンクとを含み、給水タンクは、給水口を備えたタンク本体と、給水口に着脱自在な蓋と、給水口から取り外した蓋をタンク本体の底部に結合させる結合機構とを備え、タンク本体の底部に蓋を結合させた状態で、蓋を架台として給水口を上方に開口した状態で給水タンクを自立させることが可能なものである。
【００１２】
これにより、給水タンクを本体より取り出した場合、給水口を上方に開口させた状態で給水タンクを卓上や床面に安定して置くことができ、給水タンクの給水作業やメンテナンスを容易に行うことができる。
【発明の効果】
【００１３】
本発明の加湿器は、給水タンクの給水作業やメンテナンスを容易に行うことができる。
【図面の簡単な説明】
【００１４】
【図１】本発明の実施の形態１における加湿温風機の外観斜視図
【図２】図１にＡＡで示す断面図
【図３】図１にＢＢで示す断面図
【図４】本発明の実施の形態１における加湿温風機の給水タンクの着脱操作途中を示す背面側の斜視図
【図５】本発明の実施の形態１における加湿温風機の本体から給水タンクと加湿トレーを取り外した状態を示す斜視図
【図６】本発明の実施の形態１における給水タンクの起立状態の斜視図
【図７】本発明の実施の形態１における給水タンクの蓋を取り外した倒立状態の斜視図
【図８】本発明の実施の形態１における給水タンクの倒立状態を示す斜視図
【図９】本発明の実施の形態１における給水タンクの倒立状態を示す断面図
【図１０】本発明の実施の形態１における結合部と結合受部を結合させた部位の詳細を示す断面図
【図１１】本発明の実施の形態１における加湿トレーとフィルタトレーと加湿フィルタの分解状態を示す斜視図
【図１２】本発明の実施の形態１における加湿レートの平面図
【図１３】従来の加湿機の給水タンクを取り外した状態の斜視図
【発明を実施するための形態】
【００１５】
第１の発明は、本体の外面に開口された吸気口と吹出口とを連通する風路と、前記風路の途中に配置され空気を送風する送風機と、前記送風機で送風された空気を加湿する加湿フィルタと、前記加湿フィルタに給水する加湿トレーと、前記加湿トレーに給水する水を貯水する給水タンクとを含み、前記給水タンクは、給水口を備えたタンク本体と、前記給水口に着脱自在な蓋と、前記給水口から取り外した前記蓋を前記タンク本体の底部に結合させる結合機構とを備え、前記タンク本体の底部に前記蓋を結合させた状態で、前記蓋を架台として前記給水口を上方に開口した状態で前記給水タンクを自立させることが可能な加湿機である。
【００１６】
これにより、給水タンクを本体より取り出した場合、給水口を上方に開口させた状態で給水タンクを卓上や床面に安定して置くことができ、給水タンクの給水作業やメンテナンスを容易に行うことができる。
【００１７】
第２の発明は、特に第１の発明において、前記結合機構は、前記タンク本体の前記底部の外面に形成された略円柱状の結合部と、前記蓋の内面に形成された略円筒状の結合受部とで構成されたものである。
【００１８】
これにより、結合部と結合受部を簡単な形状で実施することができ、タンク本体および蓋と一体成型することも可能となり、低コストで実施することができる。
【００１９】
第３の発明は、特に第１または第２の発明において、前記給水タンクは、前記本体の立面に設けられた開口部より着脱可能な構成とし、前記給水タンクは、前記開口部を閉塞する閉塞部材を一体に備え、前記給水タンクを前記本体に装着した状態で、前記閉塞部材は前記開口部の略全面を閉塞する構成としたものである。
【００２０】
これにより、給水タンクの着脱作業を容易に行うことができるとともに、タンク本体を閉塞部材で隠蔽することにより加湿機の外観のデザイン性を向上することができる。
【００２１】
第４の発明は、第１〜第３の発明のいずれか１つの加湿機と、前記風路の前記送風機と前記加湿フィルタとの間に空気を加熱するヒータとを備え、前記吹出口より加湿された温風を吹き出すことを特徴とする加湿温風機である。
【００２２】
これにより、湿度が低い温風に加湿することができ、適度な湿度を備えた温風で暖房効果を発揮させることができる。
【００２３】
第５の発明は、特に第４の発明において、前記風路は前記ヒータの下流側で、前記加湿フィルタに連通する加湿風路と、前記加湿フィルタを通過させずに前記吹出口に直接連通する温風風路とに分岐し、前記風路の分岐点に、前記加湿風路および前記温風風路のいずれか一方または両方に温風を選択的に送風するダンパと、前記ダンパの操作を行う操作手段を備え、前記ダンパの操作により、温風と加湿温風の吹き出しが選択可能としたものである。
【００２４】
これにより、温風のみの送風と加湿温風の選択が可能となり、短時間の暖房をする場合は温風を選択することにより短時間で昇温することが可能となり、長時間の暖房する場合は加湿温風を選択することにより快適な暖房効果を得ることができる。
【００２５】
以下、本発明の実施の形態について、図面を参照しながら説明する。なお、この実施の形態によって本発明が限定されるものではない。
【００２６】
（実施の形態１）
図１は本実施の形態における加湿機を備えた加湿温風機の外観を示す斜視図であり、図２は図１に示すＡＡ断面図を示し、図３は図１に示すＢＢ断面図を示し、図４は貯水タンクの着脱操作途中を示す斜視図であり、図５は本体から給水タンクと給水トレーを取り外した状態を示す斜視図である。
【００２７】
なお、本実施の形態においては、図１に示す加湿温風機の吹出口を設けた前面側を前とし、吸気口を設けた背面側を後とし、前面から背面に向かって右側を右とし、左側を左として説明をおこなう。また着脱可能な部材については本体に設置した状態での方向に従って説明を行う。
【００２８】
＜１＞加湿機の構成
図１および図４に示すように、加湿温風機１００の本体１１０の上面には操作部１２０が、背面には吸気口１３０が、前面には吹出口１４０が設けられており、図２に示すように本体１１０内には吸気口１３０から吹出口１４０まで風路１５０が連通している。風路１５０には、吸気口１３０に近い最も上流側には送風機１６０が配置されており吸気口１３０から吸引した外気を風路１５０に送風する。
【００２９】
送風機１６０の下流にはヒータ１７０が配置されている。ヒータ１７０は全体で１２００Ｗの容量であるが、全体を２分割した構成であり、低容量の加熱を行うときは、その半分にのみに通電することで６００Ｗの容量で加熱することができる。
【００３０】
風路１５０は送風機１６０とヒータ１７０との間で２本に分岐しており、分岐した風路は静電霧化部１８０を介して吹出口１４０に連通する静電霧化風路１５１を形成している。送風機１６０から送風された少量（約５％）の風量は常時静電霧化風路１５１に供給される構成となっている。
【００３１】
また、風路１５０はヒータ１７０の下流で２本に分岐しており、一方は吹出口１４０に直接連通する温風風路１５２と、他方は加湿部１９０を介して吹出口１４０に連通する加湿風路１５３が形成されている。
【００３２】
風路１５０の分岐点にはダンパ２００が設置されており、ダンパ２００はタイミングモータとギアとクランク等で構成された駆動機構（図示せず）を備えており、ヒータ１７０で加熱された温風を、温風風路１５２のみ、または温風風路１５２と加湿風路１５３の両方に送風することを操作部１２０の操作で選択的に切り替えることができる。
【００３３】
図２に示すようにダンパ２００が位置Ｃの場合、温風は温風風路１５２と加湿風路１５３の両方に同時に送風される。この場合、風量の約１０％を温風風路１５２に送風し、残りを加湿風路１５３に送風する。
【００３４】
ダンパ２００が加湿風路１５３を閉じる位置Ｄに切り替えられた場合は、温風風路１５２にのみ温風が送風される。
【００３５】
操作部１２０には、加湿温風機１００の電源の「入」、「切」を行う電源スイッチ１２１と、温風運転を連続的に行う温風連続スイッチ１２２と、設定温度に合わせて温風運転を行う温風室温スイッチ１２３と、加湿運転を行う加湿スイッチ１２４と、静電霧化運転を行う静電霧化スイッチ１２５と、入タイマを設定する入タイマスイッチ１２６と、切タイマを設定する切タイマスイッチ１２７と、子供のいたずら等の誤操作をロックするロックスイッチ１２８と、加湿部１９０のメンテナンス後に操作するリセットスイッチ１２９が設けられている。
【００３６】
また、操作部１２０には上記の各種スイッチの操作状態を表示する複数の表示ランプが設置されている。
【００３７】
なお、本実施の形態における加湿温風機１００は、加湿風路１５３とは別に温風風路１５２を設けるとともに、風路を切り替えるダンパ２００と切り替え操作を行う操作スイッチとを設け、「温風」と「加湿温風」とが選択できる構成としたが、これに限るものではなく、例えば、風路は加湿風路１５３のみとし、ダンパ２００および切り替え操作を行う操作スイッチを設けない構成とし、送風機１６０による送風が全て加湿部１９０に供給されるものを加湿機と定義する。なお、ヒータ１７０は加湿機の必須の構成要素ではないが、加湿性能を向上するためにヒータ１７０を備えた構成であってもよい。また、静電霧化部１８０も加湿機の必須の構成要素ではない。
【００３８】
＜２＞静電霧化部の構成
図２に示すように、静電霧化部１８０は、送風機１６０とヒータ１７０との間の風路１５０から分岐した静電霧化風路１５１内に静電霧化ユニット１８１が設置されている。
【００３９】
静電霧化ユニット１８１は、送風機１６０で送風された空気中の水分を結露させて水を
生成する結露水生成部と、生成された水に電圧を印加する霧化電極と、霧化電極に対向して設けられた対向電極とで構成されている。
【００４０】
結露水生成部は、冷却基板と放熱基板とを有するペルチェ素子を主構成部材とし、ペルチェ素子の冷却基板には尖鋭形状の霧化電極が設置されており、ペルチェ素子の冷却基板に結露した水が霧化電極に搬送される構成となっている。
【００４１】
尖鋭形状の霧化電極と対向する位置に、霧化電極を包囲するように略ドーム状の対向電極が配置されており、霧化電極と対向電極の間に約３５００Ｖの直流電流が印加することにより、霧化電極に搬送された結露水にレイリー分裂を生じさせ、ナノメートルサイズの帯電微粒子水が発生する。
【００４２】
すなわち、静電霧化ユニット１８１を通過後の空気は、ナノメートルサイズの帯電微粒子水が含まれたものであり、吹出口１４０から帯電微粒子水が放出される。ナノメータサイズの帯電微粒子水は、アンモニア、アセトアルデヒド、酢酸、メタン、一酸化炭素、一酸化窒素、ホルムアルデヒド等の臭気成分の分解除去と各種菌類への殺菌効果を備えており、室内に浮遊および壁面や床面に付着した臭気成分や菌類に対して脱臭と除菌および殺菌の効果を発揮することができる。
【００４３】
＜３＞加湿部の構成
図６は給水タンクの起立状態の斜視図を示し、図７は給水タンクの蓋を外した倒立状態の斜視図を示し、図８は蓋とタンク本体を結合させた状態で蓋を架台として倒立させた給水タンクの斜視図を示し、図９は蓋とタンク本体を結合させた状態で蓋を架台として倒立させた給水タンクの断面図を示し、図１０は結合部と結合受部を結合させた状態の詳細断面図を示し、図１１は加湿レートとフィルタトレーと加湿フィルタの分解状態を示す斜視図であり、図１２は加湿レートの平面図を示すものである。なお、図１１および図１２は加湿トレーを後ろ側から見た状態を示したものである。
【００４４】
図２および図３に示すように、加湿部１９０は、加湿に使用する水を貯水する給水タンク２１０と、給水タンク２１０から流出した水を貯溜する加湿トレー２２０と、水を気化させる加湿フィルタ２３０と、加湿フィルタ２３０を加湿トレー２２０に取り付けるフィルタトレー２５０を主構成部材として構成されている。
【００４５】
また、給水タンク２１０の側部には閉塞部材１１３が設置されており、閉塞部材１１３は給水タンク２１０を本体１１０に設置した状態で、タンク開口１１１の全面を閉塞し、外表面は本体１１０の外表面と連続的な形状を成すように形成されている。
【００４６】
閉塞部材１１３の上端部には閉塞部材１１３を本体１１０に係止する係止部１１３ｂが設置されている。係止部１１３ｂは弾性により本体１１０に係止され、開放する場合は閉塞部材１１３の上部に設けられたロック解除ボタン１１３ｃを押すことにより開放される。
【００４７】
また、閉塞部材１１３の上部には表面より凹陥した引き手１１３ｄが形成されており、引き手１１３ｄに指をかけて引き出すことにより閉塞部材１１３の下端部を支点とするように回動させながら給水タンク２１０を本体１１０より取り外すことができる。
【００４８】
閉塞部材１１３の下端部を支点として回動させる着脱方式を採用した本実施の形態の構成においては、閉塞部材１１３より内方に配置されるタンク本体２１１の上端部は閉塞部材１１３の上縁１１３ａより低い位置となるように配置することが必須であり、閉塞部材１１３の上縁１１３ａとタンク本体２１１の上端部とは高さレベルが異なるため、給水タ
ンク２１０を本体１１０から取り出し、給水口２１２を上方に向けた倒立状態では自立させることができない構成となっている。
【００４９】
なお、本実施の形態においては、給水タンク２１０を本体１１０に設置された状態である給水口２１２を下に向けた状態を給水タンクの起立状態とし、給水口２１２を上に向けた状態を給水タンクの倒立状態として説明する。
【００５０】
図６に示すように、給水タンク２１０は、半透明の樹脂材料で成型された容量約３リットルのボトル形状のタンク本体２１１と蓋２１５とで構成されており、タンク本体２１１の側部にはタンク開口１１１を閉塞する閉塞部材１１３がねじを介して取り付けられている。
【００５１】
図７、図８、図９に示すように、タンク本体２１１の倒立状態における上端部には給水口２１２が開口しており、給水口２１２の外周には雄ねじが一体に成形されており、蓋２１５を螺合させることができる構成となっている。
【００５２】
また、タンク本体２１１を倒立状態における下端部となるタンク本体２１１の底部２１３の中央部には略円柱状に突起した結合部２１４が一体に成形されている。図１０に示すように結合部２１４の外周は先端部の外径が基部より小さくなるようにテーパ状に形成されており、外周面の複数箇所には外周面を周回する環状の突起部２１４ａが形成されている。
【００５３】
蓋２１５は略円形の閉塞面２１５ａの外周部に起立した周壁２１５ｂを備え、周壁２１５ｂの内面には給水口２１２の外周に設けた雄ねじに螺合する雌ねじが形成されている。また、蓋２１５の閉塞面２１５ａの中央部にはばねの付勢力により自動的に閉止される閉止栓２１６が設けられており、給水タンク２１０が加湿トレー２２０の所定位置にセットされた場合に閉止栓２１６が自動的に開放され、給水タンク２１０の水が加湿トレー２２０に供給される。
【００５４】
閉止栓２１６の周辺には略円筒形状に突起した結合受部２１７が一体に成形されている。結合受部２１７の内周は先端部の内径が基部より大きくなるようにテーパ状に成形されている。結合受部２１７の内径寸法はタンク本体２１１の結合部２１４に形成した突起部２１４ａの外径より僅かに大きい寸法となっており、結合受部２１７と結合部２１４が突起部２１４ａを介して嵌合可能な寸法関係となっている。
【００５５】
上記のように、タンク本体２１１の結合部２１４と蓋２１５の結合受部２１７は、蓋２１５をタンク本体２１１の底部２１３に結合させる機能を備えた結合機構２１９を構成している。
【００５６】
結合受部２１７には対向する周縁に先端部から基部まで連続するスリット２１８が成形されている。このスリット２１８設けることにより、図３に示すように給水タンク２１０を本体１１０にセットした使用状態において、給水タンク２１０の水は蓋２１５の閉止栓２１６を介して加湿トレー２２０に給水されるが、給水タンク２１０の残水が少なくなり水位が低下したときには残水がスリット２１８を通過して閉止栓２１６に流れ込むことにより、給水タンク２１０の全ての水を加湿トレー２２０に流出させることが可能となる。
【００５７】
図９および図１０に示すように、タンク本体２１１の結合部２１４を蓋２１５の結合受部２１７に嵌入させることにより、蓋２１５は閉塞部材１１３の上縁１１３ａより突出した状態で嵌合されるため、給水タンク２１０は蓋２１５を架台として給水口２１２を上方に開口させた倒立状態で自立させることができる。
【００５８】
このとき、図１０に示すように結合部２１４の外周面に突起部２１４ａを設けたことにより、結合部２１４を結合受部２１７に容易に嵌入できるとともに、結合部２１４と結合受部２１７を確実に嵌合させることができるので給水タンク２１０を安定して自立させることができる。
【００５９】
図１１および図１２に示すように、加湿トレー２２０は給水タンク２１０から水を受ける水受部２２１と、加湿フィルタ２３０に供給する水を貯水する貯水部２２２と、貯水部の水位を検知する水位検知部の構成部材であるフロート槽２４０で構成されている。本実施の形態においては、加湿トレー２２０の右側に水受部２２１と、中央部に貯水部２２２と左側にフロート槽２４０が配置されている。
【００６０】
水受部２２１は略円形の凹陥形状であり、その中央には円柱状の突出部２２３が形成されており、給水タンク２１０の閉止栓２１６が突出部２２３に当接することにより、閉止栓２１６が開放される構成となっている。
【００６１】
貯水部２２２は略長方形の箱状に形成されており、貯水部２２２の内部には貯水部２２２と略相似形のフィルタトレー２５０が設置されている。フィルタトレー２５０の底面には複数の開口が設けられており、貯水部２２２に貯水された水が流入する構成となっている。フィルタトレー２５０は加湿トレー２２０より耐熱性の高い樹脂材料で成型されており、加湿部１９０に送風される温風で加湿トレー２２０が変形することを防止するとともに、加湿フィルタ２３０を加湿トレー２２０に固定する機能を備えている。
【００６２】
水受部２２１と貯水部２２２とフロート槽２４０は連通溝で連通しており、水受部２２１で給水タンク２１０より給水された水は連通溝を介して貯水部２２２とフロート槽２４０に供給されて一定の水位で維持される。
【００６３】
フロート槽２４０には水位の変動により浮動するフロート２７０が設置されており、フロート２７０に内蔵された磁石（図示せず）と本体１１０に設置されたリードスイッチ（図示せず）で構成された水位検知部の検知結果に基づいて加湿温風機１００の運転が制御される。
【００６４】
また、加湿トレー２２０の後方上部には、加湿トレー２２０を本体１１０にロックするロック機構２２４が設置されており、背面下部には加湿トレー２２０を本体１１０から引き出すときに使用する引き手２２５が一体に形成されている。
【００６５】
加湿フィルタ２３０は樹脂材料で成型した略直方体のフィルタケース２３１と、フィルタケース２３１に内装されたフィルタ材２３２で構成されている。フィルタケース２３１は網目状に形成されており、その内外が通風可能な構成となっている。フィルタ材２３２は樹脂繊維の不織布を蛇行形状に折り曲げて形成した吸水性能および耐熱性の優れたものである。
【００６６】
図５に示すように、加湿トレー２２０は本体１１０背面の下部に設けられたトレー開口１１２より収容および取り出しを行うことができる。また、本実施の形態におけるタンク開口１１１とトレー開口１１２は中間部に仕切等を配設せず連続して一体的に形成された開口となっている。
【００６７】
＜４＞加湿温風機の動作、作用
加湿温風機１００を使用する場合、準備作業として第１に給水タンク２１０への水の充填作業を行う。充填作業を行うときは、タンク本体２１１から蓋２１５を取り外し、タン
ク本体２１１の結合部２１４と蓋２１５の結合受部２１７とを嵌合させることにより、タンク本体２１１の給水口２１２を上方に開口させた倒立状態で自立させることができる。
【００６８】
この状態で給水口２１２からタンク本体２１１内に水を充填する。充填終了後に蓋２１５を閉めることにより充填作業は終了する。
【００６９】
次に、加湿フィルタ２３０とフィルタトレー２５０を加湿トレー２２０の貯水部２２２にセットし、本体１１０背面のトレー開口１１２から押し込む。加湿トレー２２０が所定位置まで押し込まれたら、ロック機構２２４により本体１１０に固定される。
【００７０】
次に水を充填した給水タンク２１０を底部２１３が上になる起立状態で保持し、タンク開口１１１から蓋２１５を加湿トレー２２０の水受部２２１に挿入して、上部をタンク開口１１１に押し付けることにより、閉塞部材１１３の係止部１１３ｂが本体１１０に係止して給水タンク２１０は本体１１０に固定される。
【００７１】
上記の準備作業完了状態において、給水タンク２１０の水は加湿トレー２２０の水受部２２１に流出して貯水部２２２およびフロート槽２４０に流入し、所定の水位に達したら停止する。この状態で加湿フィルタ２３０の下側の約１／３は水没した状態になり、毛細管現象によりフィルタ材２３２全体が吸水状態となる。
【００７２】
貯水部２２２が所定の水位に達して給水が停止した状態において、フロート２７０はフロート槽２４０の所定の高さに浮き上がっており、水位検知部のリードスイッチ（図示せず）はＯＮの状態となっており、操作部１２０の加湿スイッチ１２４の操作が可能な状態となる。
【００７３】
加湿温風機１００の運転を開始する場合、まず操作部１２０の電源スイッチ１２１を「入」にし、次に好みの運転モードを選択する。運転モードとしては、「温風」、「加湿」、「静電霧化」３つの基本的な運転モードがあるが、これに加え「温風」と「加湿」を同時に行う「加湿温風」の運転モードがある。また、「静電霧化」の運転モードは単独の運転モードに加え、他の「温風」、「加湿」、「加湿温風」の運転モードとの同時運転が可能な構成となっている。
【００７４】
温風モードの運転を行う場合は、温風連続スイッチ１２２か温風室温スイッチ１２３のどちらかを選択操作する。温風連続スイッチ１２２を選択した場合には、加湿温風機１００はヒータ１７０が「強」または「弱」の容量で室温に関係なく温風を吹き出す。また、温風室温スイッチ１２３を選択した場合、室温に連動してヒータ１７０の容量を切り換えて室温を所定温度に保つように運転する。
【００７５】
温風モードの運転を行う場合は、ダンパ２００は加湿風路１５３を閉じる位置Ｄに配置され、温風は温風風路１５２のみに供給され吹出口１４０から直接吹き出す。この場合、吹き出す温風は高温で乾燥した状態のものであり、このモードは短時間の部屋の暖房や、乾燥を目的とした使用に適している。
【００７６】
加湿モードの運転を行う場合は加湿スイッチ１２４を操作する。加湿モードの運転の場合、ヒータ１７０の容量は低容量（約６００）に設定される。ダンパ２００は温風を主に加湿風路１５３に送風する位置Ｃに配置され、低温の温風は温風風路１５２と加湿風路１５３の両方に送風され、温風風路１５２を通過した乾燥状態の温風と、加湿風路１５３を通過し加湿部１９０で加湿された加湿空気が吹出口１４０の手前で混合され、吹出口１４０から吹き出す。
【００７７】
このモードの場合、温風の一部を温風風路１５２から直接吹き出させることにより、流速の早い温風が吹出口１４０の手前で混合する加湿空気を効率的に吸引して吹き出す効果を得ることができる。
【００７８】
温風モードの運転と加湿モードの運転を同時に行う加湿温風モードの運転を行う場合を、上記のように温風連続スイッチ１２２か温風室温スイッチ１２３のどちらかと加湿スイッチを操作する。
【００７９】
加湿温風モードの運転の場合、ダンパ２００の位置および送風状態は加湿運転の場合と同じであるが、ヒータ１７０の容量が１２００Ｗの最大容量で運転される。そのため、適度に加湿された温風が吹き出し、長時間に亘り部屋を快適に暖房する場合に最も適したモードである。
【００８０】
静電霧化モードの運転を行う場合は静電霧化スイッチ１２５を操作する。静電霧化スイッチ１２５を操作することにより、静電霧化ユニット１８１に通電され、静電霧化ユニット１８１は送風機１６０から送風された空気に含まれる水分からナノメートルサイズの帯電微粒子を発生し、帯電微粒子を含む空気を吹出口１４０から吹き出す。
【００８１】
静電霧化モードの運転は、単独運転で実施することに加え、温風運転、加湿運転、加湿温風運転の各運転モードと同時に運転することが可能であり、いずれ運転モードにおいても室内に浮遊および壁面や床面に付着した臭気成分や菌類に対して脱臭と除菌および殺菌の効果を発揮することができる。
【００８２】
運転を停止する場合は、電源スイッチ１２１を「切」操作することにより、加湿温風機１００の運転が停止する。
【００８３】
運転停止の状態で、給水タンク２１０の水の補充や加湿フィルタ２３０のメンテナンス等を実施することができる。給水タンク２１０を本体１１０から取り外す場合は、閉塞部材１１３の上部に設置されたロック解除ボタン１１３ｃを押しながら引き手１１３ｄに指を掛けて引けば上部を手前に引き出すことができ、給水タンク２１０を上方に引き出せば本体１１０より取り外すことができる。
【００８４】
加湿トレー２２０を本体１１０から取り外すときは、加湿トレー２２０の背面の引き手２２５に指を掛けて強く引っ張ることにより本体１１０から引き出すことができる。
【００８５】
加湿フィルタ２３０メンテナンスを行う場合は、加湿フィルタ２３０とフィルタトレー２５０を加湿トレー２２０から取り外して水洗いをすることによりフィルタ材の中に堆積したスケールやごみを取り除ことができる。
【００８６】
以上のように、本実施に形態の加湿温風機１００は、加湿トレー２２０と給水タンク２１０は本体１１０の背面に設けられた開口部より着脱可能な構成としたことにより、給水タンク２１０の着脱作業には給水タンク２１０を高い位置まで持ち上げる必要がなく、本体１１０の低い位置のタンク開口１１１から着脱可能となり安全かつ容易に着脱作業を行うことができる。
【００８７】
特に、給水タンク２１０と閉塞部材１１３を一体構造として形成し、ワンタッチで着脱可能としたことにより、着脱作業を容易に行うことができるとともに、給水タンク２１０を閉塞部材１１３で隠蔽することにより加湿温風機の外観のデザイン性を向上することができる。
【００８８】
また、タンク本体２１１の結合部２１４と蓋２１５の結合受部２１７を結合機構２１９として嵌合可能とし、給水タンク２１０は蓋２１５を架台として給水口２１２を上方に開口させた倒立状態で自立可能な構成としたことにより、給水タンク２１０への給水作業を容易に行うことができる。
【００８９】
また、タンク開口１１１とトレー開口１１２を本体１１０の背面に設けたことにより、本体１１０の前面と上面および側面に発生する接合部を少なくすることができ、特に本体１１０上面には広いスペースの操作部１２０を設置することが可能となり、デザイン性が高くかつ操作性の高い使い勝手のより加湿温風機を提供することができる。
【００９０】
なお、本実施の形態においては、タンク本体の結合部と蓋の結合受部を結合させた状態において、蓋の大部分の部位が閉塞部材の上縁より突出した状態となっているが、これに限るものではなく、蓋の上面部のみが閉塞部材の上縁より突出した構成、または蓋の上面部と閉塞部材の上縁が同一レベルになる構成でもよい。
【００９１】
また、本実施の形態においては、円柱形状である結合部の外周面の複数箇所には外周面を周回する突起部を設ける構成としたが、これに限るものではなく、円筒状の結合受部のない周面に同様の突起部を設けた構成であっても同様な効果を得ることができる。
【００９２】
また、本実施の形態においては、結合機構としてはタンク本体の底部に設けた円柱状の結合部と、蓋の内面に設けた円筒状の結合受部を嵌合させる構成としたが、結合機構の構成はこれに限るものではなく、例えば、タンク本体に設ける結合部を円筒状とし、蓋に設ける結合受部を円柱状にした構成でも同様な作用効果を得ることができる。
【００９３】
また、タンク本体の底部に給水口の外周に設けたねじと同じねじ径の雄ねじを結合部として形成し、蓋を雄ねじ形状の結合部に螺合構成の結合機構等も考えることができ、結合機構としては、蓋をタンク本体の底部に工具等を使用しないで容易に結合することができ、結合した状態で給水タンクを倒立状態で自立させることが可能な構成であれば他の構成であってもよい。
【産業上の利用可能性】
【００９４】
以上のように、本発明にかかる加湿機は、給水タンクの充填作業やメンテナンスを容易に行うことが可能となるので、水および他の液体を使用する他の民生用機器等の用途にも適用できる。
【符号の説明】
【００９５】
１００  加湿温風機
１１０  本体
１１１  タンク開口（開口部）
１１３  閉塞部材
１２０  操作部（操作手段）
１３０  吸気口
１４０  吹出口
１５０  風路
１５２  温風風路
１５３  加湿風路
１６０  送風機
１７０  ヒータ
２００  ダンパ
２１０  給水タンク
２１１  タンク本体
２１２  給水口
２１３  底部
２１４  結合部
２１５  蓋
２１７  結合受部
２１９  結合機構
２２０  加湿トレー
２３０  加湿フィルタ
【図１】
2013068352.tif 000003
【図２】
2013068352.tif 000004
【図３】
2013068352.tif 000005
【図４】
2013068352.tif 000006
【図５】
2013068352.tif 000007
【図６】
2013068352.tif 000008
【図７】
2013068352.tif 000009
【図８】
2013068352.tif 000010
【図９】
2013068352.tif 000011
【図１０】
2013068352.tif 000012
【図１１】
2013068352.tif 000013
【図１２】
2013068352.tif 000014
【図１３】
2013068352.tif 000015